(57)【要約】【課題】位置するユーザに応じて動的に変化する利用者の権限に応じた情報を提供すること。【解決手段】情報処理装置１は、コンテンツを表示する、ユーザ毎に設けられた固有領域Ａ２〜Ａ５とユーザで共有する共有領域Ａ１とをディスプレイ３に表示する表示部と、検出対象物の固有領域Ａ２〜Ａ５への接近および離脱を検出する検出部と、検出対象物毎に設定されたランクを記憶する第１の記憶部と、固有領域に位置している検出対象物の識別情報を記憶する第２の記憶部と、第１の記憶部と第２の記憶部とを参照し、検出部が検出した検出対象物のランクに基づいてコンテンツを共有領域Ａ１または他の固有領域に閲覧可能か否かを判断する制御部と、を有している。【選択図】図８
2018032360.tif 000002
【特許請求の範囲】
【請求項１】
コンテンツを表示する、ユーザ毎に設けられた固有領域とユーザで共有する共有領域とをディスプレイに表示する表示部と、
検出対象物の前記固有領域への接近および離脱を検出する検出部と、
前記検出対象物毎に設定されたランクを記憶する第１の記憶部と、
前記固有領域に位置している検出対象物の識別情報を記憶する第２の記憶部と、
前記第１の記憶部と前記第２の記憶部とを参照し、前記検出部が検出した検出対象物のランクに基づいてコンテンツを共有領域または他の固有領域に閲覧可能か否かを判断する制御部と、
を有することを特徴とする情報処理装置。
【請求項２】
前記制御部は、前記共有領域に配置されたデータを前記各固有領域に一斉配布可能か否かを判断する請求項１または２に記載の情報処理装置。
【請求項３】
前記固有領域の表面には、少なくとも一方向からの視界を制限する処理が施されている請求項１に記載の情報処理装置。
【請求項４】
前記コンテンツは視覚可能なデータであり、前記制御部は、前記固有領域に配置されたデータファイルを共有領域に表示するアクションが実行されたときに、前記共有領域に表示可能か否かを判断する請求項１または２に記載の情報処理装置。
【請求項５】
コンピュータが、
コンテンツを表示する、ユーザ毎に設けられた固有領域とユーザで共有する共有領域とをディスプレイに表示し、
検出対象物の前記固有領域への接近および離脱を検出し、
前記検出対象物毎に設定されたランクを記憶する第１の記憶部と、前記固有領域に位置している検出対象物の識別情報を記憶する第２の記憶部とを参照し、検出した検出対象物のランクに基づいてコンテンツを共有領域または他の固有領域に閲覧可能か否かを判断する、
ことを特徴とする制御方法。
【請求項６】
コンピュータに、
コンテンツを表示する、ユーザ毎に設けられた固有領域とユーザで共有する共有領域とをディスプレイに表示し、
検出対象物の前記固有領域への接近および離脱を検出し、
前記検出対象物毎に設定されたランクを記憶する第１の記憶部と、前記固有領域に位置している検出対象物の識別情報を記憶する第２の記憶部とを参照し、検出した検出対象物のランクに基づいてコンテンツを共有領域または他の固有領域に閲覧可能か否かを判断する、
処理を実行させることを特徴とするプログラム。
【発明の詳細な説明】
【技術分野】
【０００１】
本発明は情報処理装置、制御方法およびプログラムに関する。
【背景技術】
【０００２】
大画面を有し、複数のユーザで共用するとともに、タッチパネルの操作を介してユーザ同士が協調作業を行う装置が知られている。
例えば、画面内にユーザ毎のユーザ占有領域と共通領域を設定することで、複数のユーザによる同時操作を実現する方法が知られている。
【先行技術文献】
【特許文献】
【０００３】
【特許文献１】国際公開第２０１３／１０５４４３号
【発明の概要】
【発明が解決しようとする課題】
【０００４】
画面を共用するユーザが動的に変化する場合がある。例えば機密情報を画面に開示したいときに、画面を共用する各ユーザがどこまでの権限を有しているのかをいちいち確認するのは面倒である。
１つの側面では、本発明は、位置するユーザに応じて動的に変化する利用者の権限に応じた情報を提供することを目的とする。
【課題を解決するための手段】
【０００５】
上記目的を達成するために、開示の情報処理装置が提供される。この情報処理装置は、コンテンツを表示する、ユーザ毎に設けられた固有領域とユーザで共有する共有領域とをディスプレイに表示する表示部と、検出対象物の固有領域への接近および離脱を検出する検出部と、検出対象物毎に設定されたランクを記憶する第１の記憶部と、固有領域に位置している検出対象物の識別情報を記憶する第２の記憶部と、第１の記憶部と第２の記憶部とを参照し、検出部が検出した検出対象物のランクに基づいて固有領域に表示されたコンテンツを共有領域または他の固有領域に閲覧可能か否かを判断する制御部と、を有している。
【発明の効果】
【０００６】
１態様では、動的に変化するユーザの権限に応じた情報を提供することができる。
【図面の簡単な説明】
【０００７】
【図１】実施の形態の情報処理装置を示す図である。
【図２】実施の形態の情報処理装置を示す平面図である。
【図３】実施の形態の情報処理装置のハードウェア構成を示す図である。
【図４】実施の形態の携帯端末装置のハードウェア構成を示す図である。
【図５】実施の形態の情報処理装置の機能を示すブロック図である。
【図６】権限情報記憶部に記憶されている情報を説明する図である。
【図７】現状情報記憶部に記憶されている情報を説明する図である。
【図８】情報処理装置の動作を説明する図である。
【図９】情報処理装置の動作を説明する図である。
【図１０】情報処理装置の動作を説明するフローチャートである。
【図１１】情報処理装置の変形例を説明する図である。
【図１２】情報処理装置の変形例を説明する図である。
【発明を実施するための形態】
【０００８】
以下、実施の形態の情報処理装置を、図面を参照して詳細に説明する。
＜実施の形態＞
図１は、実施の形態の情報処理装置を示す斜視図である。
実施の形態の情報処理装置（コンピュータ）１は、支持部２と、ディスプレイ３とを有している。
支持部２内には後述するＣＰＵ（Central Processing Unit）等が内蔵されている。
【０００９】
ディスプレイ３は一例として４６〜１００インチであり、本体部２上に設置されている。テーブルのように複数人がディスプレイ３を取り囲むようにして位置することができる。
【００１０】
ディスプレイ３はタッチスクリーン（touch screen）であり、タッチセンサ（検出部）を備えている。タッチセンサが、ユーザのディスプレイ３へのタッチ、ディスプレイ３への近接、ディスプレイ３近傍でのジェスチャー等を検出すると、情報処理装置１は、これらに応じた動作を実行する。
図２は、実施の形態の情報処理装置を示す平面図である。
【００１１】
図２に示すように、ディスプレイ３には、コンテンツを表示する共有領域Ａ１と固有領域Ａ２〜Ａ５とが設けられている。表示するコンテンツとしては、特に限定されないが、例えば、画像（動画像を含む）、テキスト文書およびこれらのアイコン等が挙げられる。
【００１２】
情報処理装置１は、ブルートゥース（登録商標）等の近距離無線通信手段を用いてユーザが所持する携帯端末装置（検出対象物）の各固有領域への近接を検出すると、ユーザは、各固有領域にて操作が可能となる。図１では、スマートフォン２０を所持するユーザＵ１が固有領域Ａ４に近接したことを情報処理装置１が検出し、ユーザＵ１が固有領域Ａ４にて操作が可能になっている状態を示している。なお、携帯端末装置としては、前述したスマートフォン以外にも例えば携帯電話やタブレット端末等が挙げられる。
【００１３】
共有領域Ａ１は、例えばユーザが共同作業をする情報が表示される領域である。共同作業としては特に限定されないが、例えば、写真の編集や、住宅等の建造物の設計、車等の工業製品の設計、デザイン、ゲーム等が挙げられる。なお、共有領域Ａ１に表示される情報は、２Ｄ（Dimension）でもよいし３Ｄでもよい。
【００１４】
例えば、共有領域Ａ１では、洋服のデザインを前、後等回転させながらチェックしたり、変更したり、配色を変更したりといったことを、ユーザ同士で打ち合わせしながら行うことができる。また、他の例では医者達が手術を行う前に、患者の内蔵や血管、筋肉等の術部を共有領域Ａ１に表示し、術部を回転させながら打ち合わせをすることができる。また、他の例では各ユーザが保持するスマートフォンをコントローラとして用いて共有領域Ａ１内でゲームを楽しむことができる。また、個々が持ち寄ったゲームのデータを用いて、共有領域Ａ１で、対戦や協力する機能を保持していてもよい。また、他の例では、レストランやファストフード等のメニュー画面を共有領域Ａ１に表示されることができる。
【００１５】
固有領域Ａ２〜Ａ５は、それぞれ固有領域に位置するユーザが操作できる領域である。固有領域Ａ２〜Ａ５では、ユーザは例えば、画像の表示、文章の表示等の操作を行うことができる。
【００１６】
例えば図２に示すようにユーザＵ１がスマートフォン２０にてフリック（flick）動作をすることで、スマートフォン２０に記憶されているファイルを固有領域Ａ４に移動させることができる。また、固有領域Ａ４からスマートフォン２０への移動も可能である。さらに、フリック動作をすることで、固有領域Ａ４から他の固有領域Ａ２、Ａ３、Ａ５への移動も可能である。
また、前述した車のデザインを行う場合は、各固有領域Ａ２〜Ａ５に表示されたパーツ画像を共有領域Ａ１に移動させることで部品の付け替え等が可能である。
また、図２には示していないが、ユーザＵ１が固有領域Ａ４にて操作が可能になったときに、所定のファイルを固有領域Ａ４に表示するようにしてもよい。
【００１７】
なお、図２に示す例では、４つの固有領域を示しているが、固有領域の数は図示のものに限定されず２、３または５以上であってもよい。また、図２では共有領域Ａ１と固有領域Ａ２〜Ａ５とを図示しているが、明確な境界線が図示されていなくてもよい。また、各ユーザが位置している固有領域以外の固有領域に表示されている内容を見えにくくする（少なくとも一方向からの視界を制限する）処理が施されていても良い。
【００１８】
固有領域Ａ２〜Ａ５においてユーザがファイルのアイコンをタップすると共有領域Ａ１にその中身が表示される。このとき、ファイルの中身が表示されるかどうかは情報処理装置１が固有領域Ａ２〜Ａ５に位置するユーザ（実施の形態ではユーザが所持する携帯端末装置のランク）をみて決定する。ファイルの中身を共有領域Ａ１に表示させることが適当でないと情報処理装置１が判断したときは、ファイルの中身は表示されずアイコンのままになる。
【００１９】
また、新たなメンバーが固有領域Ａ２〜Ａ５のいずれかに加わったとき、情報処理装置１はファイルの中身を共有領域Ａ１に表示させ続けることが適当か否かを判断する。ファイルの中身を共有領域Ａ１に表示させ続けることが適当でないと情報処理装置１が判断したときは、共有領域Ａ１に表示されているファイルを閉じる。なお、情報処理装置１の判断基準は後述する。これにより、固有領域Ａ２〜Ａ５に位置するユーザが動的に変化する場合においても、ユーザの権限に応じた情報をユーザに提供することができる。
以下、開示の情報処理装置１をより具体的に説明する。
図３は、実施の形態の情報処理装置のハードウェア構成を示す図である。
【００２０】
情報処理装置１は、ＣＰＵ１０１によって装置全体が制御されている。ＣＰＵ１０１には、バス１０８を介してＲＡＭ（Random Access Memory）１０２と複数の周辺機器が接続されている。
【００２１】
ＲＡＭ１０２は、情報処理装置１の主記憶装置として使用される。ＲＡＭ１０２には、ＣＰＵ１０１に実行させるＯＳ（Operating System）のプログラムやアプリケーションプログラムの少なくとも一部が一時的に格納される。なお、ＯＳとしては、特に限定されんがい、例えばＡｎｄｒｏｉｄ（登録商標）等が挙げられる。また、ＲＡＭ１０２には、ＣＰＵ１０１による処理に使用する各種データが格納される。
【００２２】
バス１０８には、ハードディスクドライブ（ＨＤＤ:Hard Disk Drive）１０３、グラフィック処理装置１０４、入力インタフェース１０５、ドライブ装置１０６、および通信インタフェース１０７が接続されている。
【００２３】
ハードディスクドライブ１０３は、内蔵したディスクに対して、磁気的にデータの書き込みおよび読み出しを行う。ハードディスクドライブ１０３は、情報処理装置１の二次記憶装置として使用される。ハードディスクドライブ１０３には、ＯＳのプログラム、アプリケーションプログラム、および各種データが格納される。なお、二次記憶装置としては、フラッシュメモリ等の半導体記憶装置を使用することもできる。
【００２４】
グラフィック処理装置１０４には、ディスプレイ３が接続されている。グラフィック処理装置１０４は、ＣＰＵ１０１からの命令に従って、画像をディスプレイ３の画面に表示させる。ディスプレイ３としては、液晶表示装置等が挙げられる。また、ディスプレイ３は、タッチパネル機能も備えている。
【００２５】
入力インタフェース１０５は、ディスプレイ３に接続されている。入力インタフェース１０５は、ディスプレイ３のタッチパネルから送られてくる信号をＣＰＵ１０１に送信する。
【００２６】
ドライブ装置１０６は、例えば、光の反射によって読み取り可能なようにデータが記録された光ディスクや、ＵＳＢ（Universal Serial Bus）メモリ等の持ち運び可能な記録媒体に記録されたデータの読み取りを行う。例えば、ドライブ装置１０６が光学ドライブ装置である場合、レーザ光等を利用して、光ディスク２００に記録されたデータの読み取りを行う。光ディスク２００には、Ｂｌｕ−ｒａｙ（登録商標）、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等が挙げられる。
【００２７】
通信インタフェース１０７は、ネットワーク５０に接続されている。通信インタフェース１０７は、ネットワーク５０を介して、他のコンピュータまたは通信機器との間でデータを送受信する。
以上のようなハードウェア構成によって、本実施の形態の処理機能を実現することができる。
【００２８】
図４は、実施の形態の携帯端末装置のハードウェア構成を示す図である。図４では携帯端末装置の一例としてスマートフォン２０のハードウェア構成を図示している。
スマートフォン２０は、ＣＰＵ２０１によって装置全体が制御されている。
ＣＰＵ２０１には、バス２０７を介してＲＡＭ２０２と複数の周辺機器が接続されている。
【００２９】
ＲＡＭ２０２は、携帯端末装置２の主記憶装置として使用される。ＲＡＭ２０２には、ＣＰＵ２０１に実行させるＯＳのプログラムやアプリケーションプログラムの少なくとも一部が一時的に格納される。また、ＲＡＭ２０２には、ＣＰＵ２０１による処理に使用する各種データが格納される。
バス２０７には、内蔵メモリ２０３、グラフィック処理装置２０４、入力インタフェース２０５、および通信インタフェース２０６が接続されている。
【００３０】
内蔵メモリ２０３は、データの書き込みおよび読み出しを行う。内蔵メモリ２０３は、携帯端末装置２の二次記憶装置として使用される。内蔵メモリ２０３には、ＯＳのプログラム、アプリケーションプログラム、および各種データが格納される。なお、内蔵メモリとしては、例えばフラッシュメモリ等の半導体記憶装置が挙げられる。
【００３１】
グラフィック処理装置２０４には、ディスプレイ２０４ａが接続されている。グラフィック処理装置２０４は、ＣＰＵ２０１からの命令に従って、画像をディスプレイ２０４ａの画面に表示させる。ディスプレイ２０４ａとしては、液晶表示装置等が挙げられる。また、ディスプレイ２０４ａは、タッチパネル機能も備えている。
【００３２】
入力インタフェース２０５は、ディスプレイ２０４ａおよび入力ボタン２０５に接続されている。入力インタフェース２０５は、入力ボタン２０５ａやディスプレイ２０４ａのタッチパネルから送られてくる信号をＣＰＵ２０１に送信する。
【００３３】
通信インタフェース２０６は、ネットワーク５０に接続されている。通信インタフェース２０６は、ネットワーク５０を介して、他のコンピュータまたは通信機器との間でデータを送受信する。
以上のようなハードウェア構成によって、本実施の形態の処理機能を実現することができる。
図３に示すようなハードウェア構成の情報処理装置１内には、以下のような機能が設けられる。
図５は、実施の形態の情報処理装置の機能を示すブロック図である。
【００３４】
情報処理装置１は、検出部１１と、表示部１２と、制御部１３と、権限情報記憶部１４と、現状情報記憶部１５とを備えている。なお、権限情報記憶部１４は第１の記憶部の一例であり、現状情報記憶部１５は第２の記憶部の一例である。
【００３５】
検出部１１は、ブルートゥース（登録商標）を用いて情報処理装置１の固有領域Ａ２〜Ａ５に近づいた携帯端末装置を検出する。また、検出部１１は、固有領域Ａ２〜Ａ５から離脱した携帯端末装置を検出する。
【００３６】
表示部１２は、制御部１３の指示に従い各種情報をディスプレイ３に表示する。例えば、コンテンツを表示する共有領域Ａ１と固有領域Ａ２〜Ａ５の境界線をディスプレイに表示する
【００３７】
制御部１３は、各種処理を統括する。例えば制御部１３は、検出部１１が検出した携帯端末装置に関する情報を現状情報記憶部１４に記憶する。また、制御部１３は、スマートフォン２０から送信された各種情報を表示部１２に表示させる。
権限情報記憶部１４には、端末装置毎に設定された権限を示す情報が記憶されている。
図６は、権限情報記憶部に記憶されている情報を説明する図である。
【００３８】
図６では情報がテーブル化されている。権限管理テーブルＴ１には、利用者ＩＤ、端末ＩＤ、およびランクの欄が設定されている。横方向に並べられた情報同士が互いに関連づけられている。
【００３９】
利用者ＩＤの欄には、当該携帯端末装置を所持するユーザを識別するＩＤが設定されている。すなわち、本実施の形態では、携帯端末装置とユーザとは一意に紐付けられている。
【００４０】
端末ＩＤの欄には、当該携帯端末装置を識別するＩＤが設定されている。本実施の形態では一例としてメールアドレスが設定されているが、ＭＡＣアドレス等であってもよい。
【００４１】
ランクの欄には、当該端末ＩＤに関連づけられた権限を示す情報が設定されている。本実施の形態では数字が大きくなるにつれて大きな権限を所持していることを示している。例えば、「１」は共有領域Ａ１に表示された一部の情報の閲覧のみ許可されていることを示している。「２」は共有領域Ａ１に表示された全ての情報の閲覧はできるが編集はできないことを示している。「３」は共有領域Ａ１に表示された全ての情報の閲覧および編集が可能であることを示している。
【００４２】
なお、ランクは、情報処理装置１の管理者等が予め登録しておいてもよいし、あるアプリケーションをダウンロードしたときに自動的に割り振られるようになっていてもよい。端末ＩＤにメールアドレスを用いる場合は、情報処理装置１の管理者等が予め登録しておく。制御部１３は、登録時にメールアドレスに一意に対応する利用者ＩＤを割り振る。
再び図５に戻って説明する。
現状情報記憶部１５には、現在のディスプレイ３が検出している携帯端末装置の情報が記憶される。
図７は、現状情報記憶部に記憶されている情報を説明する図である。
【００４３】
図７では情報がテーブル化されている。現状テーブルＴ２には、テーブルＮｏ．，利用者ＩＤおよびランクの欄が設定されている。横方向に並べられた情報同士が互いに関連づけられている。
【００４４】
テーブルＮｏ．は、固有領域を識別する番号である。例えば、テーブルＮｏ．「００１」は、固有領域Ａ２を示している。テーブルＮｏ．「００２」は、固有領域Ａ３を示している。テーブルＮｏ．「００３」は、固有領域Ａ４を示している。テーブルＮｏ．「００４」は、固有領域Ａ５を示している。
【００４５】
利用者ＩＤおよびランクの欄には、検出部１１が検出した携帯端末装置に対応する利用者ＩＤおよびランクが設定される。なお、空欄は、固有領域に誰も位置していないことを示している。
次に、情報処理装置１の動作を説明する。
図８は、情報処理装置の動作を説明する図である。
以下の説明ではファイルｆ１が画像ファイルであるものとして説明する。
【００４６】
固有領域Ａ４に表示されているファイルｆ１のアイコンをユーザＵ１が共有領域Ａ１にスワイプすると、制御部１３は、現状テーブルＴ２を参照し、各固有領域Ａ２、Ａ３、Ａ５に配置されているユーザが所持する携帯端末装置のランクを取得する。
【００４７】
そして、制御部１３は、ファイルｆ１のランクと各固有領域Ａ２、Ａ３、Ａ５に配置されている携帯端末装置２１〜２３のランクを比較する。なお、ファイルｆ１のランクは、予めファイルｆ１に設定されていてもよいし、ユーザＵ１が共有領域Ａ１にスワイプするときに設定してもよい。
【００４８】
各固有領域Ａ２、Ａ３、Ａ５に配置されている携帯端末装置のランクがファイルｆ１のランク以上であれば、制御部１３は、共有領域Ａ１にファイルｆ１の中身を表示し、閲覧可能にする。図８に示す例では、各固有領域Ａ２、Ａ３、Ａ５に配置されている携帯端末装置のランクは、いずれもファイルｆ１のランク「２」以上であるため、制御部１３は、ファイルｆ１の中身である画像Ｐ１を共有領域Ａ１に表示する。
【００４９】
なお、本実施の形態ではファイルを共有領域Ａ１へのスワイプするときの動作を説明したが、ファイルを共有する処理は前述した方法（共有領域Ａ１へのスワイプ）に限定されない。
【００５０】
他方、各固有領域Ａ２、Ａ３、Ａ５に配置されている携帯端末装置のランクのいずれかがファイルｆ１のランク未満であれば、制御部１３は、共有領域Ａ１にファイルｆ１の中身を表示しない。表示しない場合は、ファイルｆ１の中身ではなくファイルｆ１のアイコンを共有領域Ａ１に表示するようにしてもよいし、共有できない旨の表示（共有領域Ａ１にファイルｆ１が進入できずに跳ね返されるようなアクション等）を固有領域Ａ４に表示するようにしてもよい。
【００５１】
また、本実施の形態では、共有領域Ａ１にファイルの中身を表示するときの動作を説明したが、これに限らず、固有領域Ａ４から各固有領域Ａ２、Ａ３、Ａ５にファイルｆ１を配布する処理を実行する際にも図８にて説明した動作を適用するようにしてもよい。
図９は、情報処理装置の動作を説明する図である。
【００５２】
ところで、ユーザＵ４が固有領域Ａ５を離席し、新たに携帯端末装置２４を所持するユーザＵ５が固有領域Ａ５に位置したことを検出部１１が検出したものとする。
【００５３】
このとき制御部１３は、権限管理テーブルＴ１を参照し、現状テーブルＴ２の内容を書き換える。具体的には、制御部１３は、ユーザＵ４が固有領域Ａ５を離席したときに現状テーブルＴ２の固有領域Ａ５に対応するテーブルＮｏ．の利用者ＩＤおよびランクの欄を空欄にする。その後、固有領域Ａ５に位置したユーザＵ５が所持する携帯端末装置から割り出した利用者ＩＤおよびランクを、固有領域Ａ５に対応するテーブルＮｏ．の空欄部分に書き込む。
【００５４】
そして、制御部１３は、各固有領域Ａ２、Ａ３、Ａ５に配置されている携帯端末装置のランクを取得する。そして、制御部１３は、ファイルｆ１のランクと各固有領域Ａ２、Ａ３、Ａ５に配置されている携帯端末装置２２〜２４のランクを比較する。
【００５５】
図９に示す例では、携帯端末装置２４のランクが「１」であるため、制御部１３は、共有領域Ａ１に表示されていた画像Ｐ１の表示を取りやめる。これにより、画像Ｐ１の閲覧を許可されていないユーザＵ５が画像Ｐ１を閲覧することを抑制することができる。
次に、前述した情報処理装置の動作を、フローチャートを用いて説明する。
図１０は、情報処理装置の動作を説明するフローチャートである。
【００５６】
［ステップＳ１］  制御部１３は、検出部１１により携帯端末装置が検出されたか否かを判断する。検出部１１により携帯端末装置が検出された場合（ステップＳ１のＹｅｓ）、ステップＳ２に遷移する。検出部１１により携帯端末装置が検出されていない場合（ステップＳ１のＮｏ）、ステップＳ３に遷移する。
【００５７】
［ステップＳ２］  制御部１３は、権限管理テーブルＴ１を参照し、検出した携帯端末装置の情報を現状テーブルＴ２に設定（更新）する。その後、ステップＳ３に遷移する。
【００５８】
［ステップＳ３］  制御部１３は、共有領域Ａ１にファイルが開かれているか否かを判断する。共有領域Ａ１にファイルが開かれている場合（ステップＳ３のＹｅｓ）、ステップＳ４に遷移する。共有領域Ａ１にファイルが開かれていない場合（ステップＳ３のＮｏ）、ステップＳ６に遷移する。
【００５９】
［ステップＳ４］  制御部１３は、現状テーブルＴ２を参照し、各固有領域に配置されている携帯端末装置のランクを確認する。その後、ステップＳ８に遷移する。
【００６０】
［ステップＳ５］  制御部１３は、ステップＳ４の確認の結果ファイルを閉じるか否かを判断する。ファイルを閉じると判断した場合（ステップＳ５のＹｅｓ）、ステップＳ６に遷移する。ファイルを開じる必要はないと判断した場合（ステップＳ５のＮｏ）、ステップＳ７に遷移する。
［ステップＳ６］  制御部１３は、共有領域Ａ１に開かれているファイルを閉じる。その後、ステップＳ７に遷移する。
【００６１】
［ステップＳ７］  制御部１３は、固有領域Ａ２〜Ａ５のいずれかから共有領域Ａ１にファイルをスワイプする動作があったか否かを判断する。ファイルをスワイプする動作があった場合（ステップＳ７のＹｅｓ）、ステップＳ８に遷移する。ファイルをスワイプする動作がなかった場合（ステップＳ７のＮｏ）、ステップＳ１に遷移する。
【００６２】
［ステップＳ８］  制御部１３は、現状テーブルＴ２を参照し、各固有領域に配置されている携帯端末装置のランクを確認する。その後、ステップＳ９に遷移する。
【００６３】
［ステップＳ９］  制御部１３は、ステップＳ８の確認の結果ファイルを開いてよいか否かを判断する。ファイルを開いてよいと判断した場合（ステップＳ９のＹｅｓ）、ステップＳ１０に遷移する。ファイルを開いてはいけないと判断した場合（ステップＳ９のＮｏ）、ステップＳ１１に遷移する。
［ステップＳ１０］  制御部１３は、共有領域Ａ１にスワイプされたファイルを開く。その後、ステップＳ１に遷移する。
［ステップＳ１１］  制御部１３は、ファイルをオープンできないアクションを実行する。その後、ステップＳ１に遷移する。
以上で図１０の説明を終了する。
【００６４】
以上述べたように、情報処理装置１によれば、制御部１３が検出部１１が検出した携帯端末装置のランクに応じて共有領域Ａ１に画像を表示したり固有領域Ａ２〜Ａ５にファイルを配布したりするようにした。情報処理装置１によれば、制御部１３が検出部１１が検出した携帯端末装置のランクに応じて共有領域Ａ１に表示されている画像を閉じるようにした。
これにより、ユーザが動的に変化する場合においても、ユーザの権限に応じた情報をユーザに提供する処理を容易に行うことができる。
【００６５】
なお、前述した実施の形態では、検出部１１が、ユーザが所持する携帯端末装置を検出するようにした。しかし、検出方法や認証方法はこれに限らず、例えば情報処理装置１の固有領域に近づいたユーザ自身を検出するようにしてもよい。例えば、固有領域Ａ２〜Ａ５にカメラを配置することにより、ユーザの近接および顔を検出するようにしてもよい。この場合、顔画像とユーザＩＤを予め紐付けておくことにより、ユーザとランクとを関連づけることができる。
【００６６】
また、他の例では、ユーザの指紋を予め登録しておき、ユーザが近づいたときに固有領域に表示される指紋認証画面に指紋を押しつけることによりユーザを特定する方法が挙げられる。
【００６７】
また、本実施の形態では携帯端末装置毎にランクを紐付けた。しかしこれに限らず、携帯端末装置をグループ化し、グループ毎にランクを紐付けてもよい。例えば、社内の開発一課で管理する携帯端末装置のランクを全て「２」とする等、ランクの決定方法は特に限定されない。
【００６８】
なお、本実施の形態では、共有領域Ａ１に表示されたデータの取り扱いについて説明した。しかし、これに限らず、固有領域Ａ２〜Ａ５間のデータのやりとりについてもランクを利用することができる。
【００６９】
また、実施の形態では、ユーザが離席し、他のユーザが配置されたときの処理を説明した。しかしこれに限らず、ユーザが離席する前に検出部１１が他のユーザを検出した場合にも前述したフローチャートの処理を実行しても良い。
【００７０】
また、ユーザが配置されるタイミングで、他のユーザに関する情報（例えば、名前、肩書き、権限等）を、自己が面している固有領域に表示させるようにしてもよい。また、ユーザが離席したタイミングで離席したユーザの情報を固有領域から削除するようにしてもよい。
なお、情報処理装置１が行った処理が、複数の装置によって分散処理されるようにしてもよい。
＜変形例＞
次に、実施の形態の情報処理装置の変形例を説明する。
図１１および図１２は、実施の形態の情報処理装置の変形例を説明する図である。
変形例では、ファイルｆ１を共有領域Ａ１にて表示せずに各共有領域Ａ２、Ａ３、Ａ５にて表示させる。
【００７１】
固有領域Ａ４に表示されているファイルｆ１のアイコンをユーザＵ１が共有領域Ａ１にスワイプすると、制御部１３は、ファイルｆ１のランクと各固有領域Ａ２、Ａ３、Ａ５に配置されている携帯端末装置２１〜２３のランクを比較する。
【００７２】
各固有領域Ａ２、Ａ３、Ａ５に配置されている携帯端末装置のランクがファイルｆ１のランク以上であれば、制御部１３は、固有領域Ａ２、Ａ３、Ａ５にファイルｆ１のアイコンを表示させる（一斉配布）。ユーザＵ２〜Ｕ４がアイコンをクリックすることで制御部１３は、ファイルｆ１の中身を表示し閲覧可能にする。
【００７３】
その後、ユーザＵ２が離席すると、制御部１３は、固有領域Ａ５に表示されているファイルｆ１のアイコンを消去する。そして、ユーザＵ５が固有領域Ａ５に接近したこと検出部１１が検出すると、制御部１３は、権限管理テーブルＴ１を参照し、現状テーブルＴ２の内容を書き換える。
【００７４】
その後、固有領域Ａ４に表示されているファイルｆ２のアイコンをユーザＵ１が共有領域Ａ１にスワイプすると、制御部１３は、ファイルｆ２のランクと各固有領域Ａ２、Ａ３、Ａ５に配置されている携帯端末装置２２〜２４のランクを比較する。
【００７５】
図１２に示す例では、携帯端末装置２４のランクが「１」であるため、制御部１３は、固有領域Ａ２、Ａ３にはファイルｆ２のアイコンを表示させる。他方、固有領域Ａ５には、ファイルｆ２のアイコンを表示させない。これにより、ファイルｆ２の閲覧を許可されていないユーザＵ５がファイルｆ２の中身を閲覧することを抑制することができる。
【００７６】
なお、ファイルｆ２を配布する際に、制御部１３は誰か一人でも閲覧を許可されていないユーザが存在する場合には、全員にファイルｆ２を閲覧させないこともできる。
このような処理によっても、ユーザが動的に変化する場合においても、ユーザの権限に応じた情報をユーザに提供する処理を容易に行うことができる。
＜応用例１＞
【００７７】
例えば、情報処理装置１に配置されるユーザの一人が講師であり、他のユーザが生徒である場合を想定する。生徒に与えられた権限のランクは、「１」もしくは「２」である。
【００７８】
講師が共有領域Ａ１に配布した資料を、ランク「１」、「２」のいずれの生徒も閲覧することができる。しかし、自己の携帯端末装置等にダウンロードすることができるのは、ランク「２」の権限を備える生徒のみである。
これにより、例えば、受講料に応じて与える権限を変えることにより、生徒が享受できるサービスの内容を変化させることができる。
＜応用例２＞
【００７９】
例えば、情報処理装置１でゲームを楽しむ場合を想定する。ランクをゲームレベルに置き換えることができる。以下の説明ではゲーム内に登場するキャラクターのレベルを「キャラクターレベル」、アイテムのレベルを「アイテムレベル」という。例えば、キャラクターレベル「１０」のユーザは、アイテムレベル「１０」までのアイテムを保有することができる。
【００８０】
例えば、あるユーザがアイテムレベル「４０」のアイテムを他のユーザに贈与すべく共有領域Ａ１に配置した場合に、キャラクターレベルが「４０」未満のユーザは、そのアイテムを受け取ることができない。また、対戦ゲームにおいては、キャラクターレベルが一定以上離れている場合には、対戦できない。
＜応用例３＞
前述したレストランやファストフード等のメニュー画面を共有領域Ａ１に表示させるときに、権限に応じて表示されるメニューの種類等を変えることもできる。
＜応用例４＞
【００８１】
情報処理装置１から何らかのデータをダウンロードする際には、スマートフォンを情報処理装置１にかざすことにより、自動的にデータがダウンロードできるようになっていてもよい。また、情報処理装置１に何らかのデータをアップロードする際には、スマートフォンを情報処理装置１にかざすことにより、自動的にデータがアップロードできるようになっていてもよい。
【００８２】
以上、本発明の情報処理装置、制御方法およびプログラムを、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【００８３】
なお、上記の処理機能は、コンピュータによって実現することができる。その場合、情報処理装置１が有する機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等が挙げられる。磁気記憶装置には、ハードディスクドライブ、フレキシブルディスク（ＦＤ）、磁気テープ等が挙げられる。光ディスクには、ＤＶＤ、ＤＶＤ−ＲＡＭ、ＣＤ−ＲＯＭ／ＲＷ等が挙げられる。光磁気記録媒体には、ＭＯ（Magneto-Optical disk）等が挙げられる。
【００８４】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００８５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送される毎に、逐次、受け取ったプログラムに従った処理を実行することもできる。
【００８６】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【符号の説明】
【００８７】
１  情報処理装置
２  支持部
３  ディスプレイ
１１  検出部
１２  表示部
１３  制御部
１４  権限情報記憶部
１５  現状情報記憶部
２０  スマートフォン
５０  ネットワーク
Ａ１  共有領域
Ａ２〜Ａ５  固有領域
ｆ１、ｆ２  ファイル
Ｔ１  権限管理テーブル
Ｔ２  現状テーブル
【図１】
2018032360.tif 000003
【図２】
2018032360.tif 000004
【図３】
2018032360.tif 000005
【図４】
2018032360.tif 000006
【図５】
2018032360.tif 000007
【図６】
2018032360.tif 000008
【図７】
2018032360.tif 000009
【図８】
2018032360.tif 000010
【図９】
2018032360.tif 000011
【図１０】
2018032360.tif 000012
【図１１】
2018032360.tif 000013
【図１２】
2018032360.tif 000014
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
コンテンツを表示する、ユーザ毎に設けられた固有領域とユーザで共有する共有領域とをディスプレイに表示する表示部と、
検出対象物の前記固有領域への接近および離脱を検出する検出部と、
前記検出対象物毎に設定されたランクを記憶する第１の記憶部と、
前記固有領域に位置している検出対象物の識別情報を記憶する第２の記憶部と、
前記第１の記憶部と前記第２の記憶部とを参照し、前記検出部が検出した検出対象物のランクに基づいてコンテンツを共有領域または他の固有領域に閲覧可能か否かを判断する制御部と、
を有することを特徴とする情報処理装置。
【請求項２】
前記制御部は、前記共有領域に配置されたデータを前記各固有領域に一斉配布可能か否かを判断する請求項１に記載の情報処理装置。
【請求項３】
前記固有領域の表面には、少なくとも一方向からの視界を制限する処理が施されている請求項１に記載の情報処理装置。
【請求項４】
前記コンテンツは視覚可能なデータであり、前記制御部は、前記固有領域に配置されたデータファイルを共有領域に表示するアクションが実行されたときに、前記共有領域に表示可能か否かを判断する請求項１または２に記載の情報処理装置。
【請求項５】
コンピュータが、
コンテンツを表示する、ユーザ毎に設けられた固有領域とユーザで共有する共有領域とをディスプレイに表示し、
検出対象物の前記固有領域への接近および離脱を検出し、
前記検出対象物毎に設定されたランクを記憶する第１の記憶部と、前記固有領域に位置している検出対象物の識別情報を記憶する第２の記憶部とを参照し、検出した検出対象物のランクに基づいてコンテンツを共有領域または他の固有領域に閲覧可能か否かを判断する、
ことを特徴とする制御方法。
【請求項６】
コンピュータに、
コンテンツを表示する、ユーザ毎に設けられた固有領域とユーザで共有する共有領域とをディスプレイに表示し、
検出対象物の前記固有領域への接近および離脱を検出し、
前記検出対象物毎に設定されたランクを記憶する第１の記憶部と、前記固有領域に位置している検出対象物の識別情報を記憶する第２の記憶部とを参照し、検出した検出対象物のランクに基づいてコンテンツを共有領域または他の固有領域に閲覧可能か否かを判断する、
処理を実行させることを特徴とするプログラム。